(57)【要約】【課題】  リアルタイムインターラクティブディレクトリシステムを提供する。【解決手段】  接続されたビデオモニタを有し、ネットワークアクセスに対して適合されたワークステーションに対して提供されるインターラクティブディレクトリは、人および組織である個々のエンティティに対するステータスを表示するインターラクティブディスプレイを持っている。エンティティは各エンティティに対するステータスとともにディスプレイ中にリストアップされている。ステータスに対して複数のフィールドがあってもよく、いくつかのフィールドが電話番号を表示する一方、他のフィールドは英数字の表示を提供する。遠隔コンタクトアドレスが記憶され、各ディレクトリエンティティと関係付けられ、ディレクトリがアクティブであるときには、ワークステーションは個々のディレクトリリストに関係するネットワーク情報源からのステータス情報にアクセスする。【選択図】図１
2007095104.tif 000002
【特許請求の範囲】
【請求項１】
インターラクティブディレクトリシステムにおいて、
ワークステーションにおけるビデオモニタ上に表示可能であり、少なくとも１つのディレクトリエンティティとそのエンティティに対するステータスを表示するユーザインターフェイスと、
ディレクトリエンティティに対するステータス情報を持つコンピュータに対するコンタクトアドレスとを具備し、
ディレクトリシステムはコンタクトアドレスにおけるコンピュータにコンタクトし、ディレクトリエンティティに対するステータス情報にアクセスし、ディレクトリエンティティに対する更新されたステータス情報をインターラクティブディレクトリ中に表示するインターラクティブディレクトリシステム。
【請求項２】
表示されるステータス情報にはディレクトリエンティティに対する少なくとも１つの電話番号が含まれている請求項１記載のディレクトリシステム。
【請求項３】
ステータス情報に対してコンタクトされたコンピュータは、インターラクティブディレクトリが実行されるのと同じコンピュータである請求項１記載のディレクトリシステム。
【請求項４】
コンタクトされたコンピュータは統計サーバ（スタットサーバ）である請求項１記載のディレクトリシステム。
【請求項５】
スタットサーバがコールセンターシステム中にある請求項４記載のディレクトリシステム。
【請求項６】
コンピュータはインターネット上のワークステーションである請求項１記載のディレクトリシステム。
【請求項７】
コンピュータはインターネット接続されたサーバであり、電話ネットワークに接続された電話スイッチへのＣＴＩリンクにより接続されたＣＴＩサーバでもある請求項１記載のディレクトリシステム。
【請求項８】
電話ネットワークは公衆電話交換ネットワーク（ＰＳＴＮ）である請求項７記載のディレクトリシステム。
【請求項９】
複数のディレクトリエンティティがリストアップされ、リストアップされている各ディレクトリエンティティに対する代替電話機と個人ステータスを表示するために各エンティティと関係する複数のフィールドが提供されている請求項１記載のディレクトリシステム。
【請求項１０】
電話フィールドの個々のものは特徴とともに電話番号を表示するように構成され、特徴はエンティティに関係する電話機のステータスを表している請求項９記載のディレクトリシステム。
【請求項１１】
特徴には、下線、グラフィック的なフィールドフィル、リバースビデオ、特定の色、チェックマーク、特定のフォント、太字、イタリック体、スキャンされた画像が含まれており、特定の特徴により表される電話ステータスには、話中、非話中、最良の番号、一時的な切断が含まれている請求項７記載のディレクトリシステム。
【請求項１２】
ディレクトリエンティティに関係し、ディレクトリエンティティに対する電話通話をユーザにより開始させるように適合されたインターラクティブ入力をさらに具備する請求項１記載のディレクトリシステム。
【請求項１３】
ディレクトリエンティティに関係するインターラクティブ入力をさらに具備し、インターラクティブ入力は個々の電話フィールドから電話通話を開始させるために提供され、通話は電話フィールド中の電話番号にかけられる請求項９記載のディレクトリシステム。
【請求項１４】
ワークステーションは次に電話ネットワークに接続されている電話機に接続され、電話通話は電話機をダイヤルするワークステーションにより開始される請求項１２記載のディレクトリシステム。
【請求項１５】
ネットワーク上で接続され、ローカル電話スイッチにも接続されているＣＴＩサーバにアクセスすることによりワークステーションは電話通話をかけ、ＣＴＩサーバはローカル電話スイッチによりエンティティへの電話をかけさせ、同じ通話をワークステーションに最も近い電話機に接続する請求項１２記載のディレクトリシステム。
【請求項１６】
個々のディレクトリエンティティに対する個々のコンタクトアドレスを具備し、ステータス更新は異なるコンピュータからリストアップされた異なるディレクトリエンティティに対してなされる請求項９記載のディレクトリシステム。
【請求項１７】
ディレクトリエンティティに関係する電話フィールド以外のステータスフィールドを具備し、ステータスフィールドは英数字表示に対して適合されている請求項１記載のディレクトリシステム。
【請求項１８】
電話フィールド以外のステータスフィールドは、１つ以上のバケーションステータス、１つ以上の一時的な電話番号、シフトステータス、異なる番号に変更するためのタイムステータス、およびビジネス旅行ステータスを表示するように構成されている請求項１７記載のディレクトリシステム。
【請求項１９】
個人と組織のエンティティのステータスを追跡する方法において、
（ａ）ワークステーションのビデオモニタ上にインターラクティブディレクトリを表示し、インターラクティブディレクトリはエンティティの識別子とステータスを提供し、
（ｂ）ディレクトリ中にリストアップされているエンティティに対するステータス情報を有するコンピュータにワークステーションをコンタクトさせ、コンピュータに対するコンタクトアドレスはワークステーションにおいて前もって記憶されて、エンティティに関係付けられ、
（ｃ）コンタクトアドレスに関係するエンティティに対するステータス情報をアクセスし、
（ｄ）アクセスされた情報を使用して、インターラクティブディレクトリ中のエンティティに対するステータスを更新および表示するステップを含む方法。
【請求項２０】
ステップ（ｄ）において表示されるステータス情報にはディレクトリエンティティに対する少なくとも１つの電話番号が含まれている請求項１９記載の方法。
【請求項２１】
ステップ（ｂ）においてステータス情報に対してコンタクトされたコンピュータは、インターラクティブディレクトリが実行されるのと同じコンピュータである請求項１９記載の方法。
【請求項２２】
ステップ（ｂ）においてコンタクトされたコンピュータは統計サーバ（スタットサーバ）である請求項１９記載の方法。
【請求項２３】
スタットサーバがコールセンターシステム中にある請求項２２記載の方法。
【請求項２４】
ステップ（ｂ）においてコンタクトされたコンピュータはインターネット上のワークステーションである請求項１９記載の方法。
【請求項２５】
ステップ（ｂ）においてコンタクトされたコンピュータはインターネット接続されたサーバであり、電話ネットワークに接続された電話スイッチへのＣＴＩリンクにより接続されたＣＴＩサーバでもある請求項１９記載の方法。
【請求項２６】
電話ネットワークは公衆電話交換ネットワーク（ＰＳＴＮ）である請求項２５記載の方法。
【請求項２７】
複数のディレクトリエンティティがリストアップされ、リストアップされている各ディレクトリエンティティに対する代替電話機と個人ステータスを表示するために各エンティティと関係する複数のフィールドが提供されている請求項１９記載の方法。
【請求項２８】
電話フィールドの個々のものは特徴とともに電話番号を表示するように構成され、特徴はエンティティに関係する電話機のステータスを表している請求項２７記載の方法。
【請求項２９】
特徴には、下線、グラフィック的なフィールドフィル、リバースビデオ、特定の色、チェックマーク、特定のフォント、太字、イタリック体、スキャンされた画像が含まれており、特定の特徴により表される電話ステータスには、話中、非話中、最良の番号、一時的な切断が含まれている請求項２８記載の方法。
【請求項３０】
ディレクトリエンティティに関係し、ディレクトリエンティティに対する電話通話をかけるインターラクティブ入力を使用するステップをさらに含む請求項１９記載の方法。
【請求項３１】
ディレクトリエンティティに関係するインターラクティブ入力を使用して電話通話をかけるステップをさらに含み、インターラクティブ入力は個々の電話フィールドから電話通話を開始させるために提供され、通話は電話フィールド中の電話番号にかけられる請求項２７記載の方法。
【請求項３２】
ワークステーションは次に電話ネットワークに接続されている電話機に接続され、電話通話は電話機をダイヤルするワークステーションにより開始される請求項３０記載の方法。
【請求項３３】
ネットワーク上で接続され、ローカル電話スイッチにも接続されているＣＴＩサーバにアクセスすることによりワークステーションは電話通話をかけ、ＣＴＩサーバはローカル電話スイッチによりエンティティへの電話をかけさせ、同じ通話をワークステーションに最も近い電話機に接続する請求項３１記載の方法。
【請求項３４】
個々のディレクトリエンティティに対する個々のコンタクトアドレスを具備し、ステータス更新は異なるコンピュータからリストアップされた異なるディレクトリエンティティに対してなされる請求項２７記載の方法。
【請求項３５】
ディレクトリエンティティに関係する電話フィールド以外のステータスフィールドを具備し、ステータスフィールドは英数字表示に対して適合されている請求項１９記載の方法。
【請求項３６】
電話フィールド以外のステータスフィールドは、１つ以上のバケーションステータス、１つ以上の一時的な電話番号、シフトステータス、異なる番号に変更するためのタイムステータス、およびビジネス旅行ステータスを表示するように構成されている請求項３５記載のシステム。
【発明の詳細な説明】
【技術分野】
【０００１】
この発明はコンピュータ統合テレフォニの分野に入り、特にユーザインターラクティブソフトウェアアプリケーションおよびシステムに関する。
【背景技術】
【０００２】
現在多くの努力およびエネルギが電話関係のハードウェアおよびソフトウェアの開発に注がれていることはよく知られている。この開発はより良いそしてより速い通信に対する絶え間なく増加する要求により大きく動かされ、コンピュータ科学における進歩によりかなりの部分で可能にされている。電話技術では、例えば、公衆および専用ネットワーク中の電話スイッチを接続されたコンピュータにより機能拡張することが現在普通であり、これはコンピュータテレフォニ統合（ＣＴＩ）として知られており、接続されたコンピュータは電話トラフィックを監視および制御することに関連する多くの種類のＣＴＩアプリケーションを実行する。
【０００３】
多くの組織が現在コールセンターを使用しており、ここでは組織のエージェントが電話機とコンピュータステーションを備えたワークステーションを占有していることも技術的によく知られている。多くのケースでは、このようなコールセンター中のコンピュータステーションはローカルエリアネットワーク（ＬＡＮ）を通して相互接続されており、コールセンターのスイッチング装置に接続されたＣＴＩプロセッサも他のさまざまなサーバおよびプロセッサとともに同じＬＡＮ上に接続しているかもしれない。このようなシステムでは、ほとんど任意の組み合わせでインターネットおよびイントラネットが存在していてもよい。多くのこのような組み合わせはさまざまなネットワークリンクに関して可能である。
【０００４】
家庭ならびに小企業および大企業の両方における多くの個人は電話サービスとそれぞれのワークステーションにおけるパーソナルコンピュータのようなネットワーク接続のコンピュータの両方を持つことも技術的によく知られている。インターネット接続されたコンピュータと電話機とを家庭に持つ人は世界中の何百万もの他の電話機およびコンピュータと少なくとも潜在的に接続されており、これには多くの会社を代理しているエージェントのステーションも含まれている。
【０００５】
先に説明した高度に相互接続されているコンピュータおよび電話機の世界では、多くの例においてリアルタイムステータス情報に対する要求が存在し、このような情報をアセンブルして提供する多くのシステムが発明者にそして技術的に知られている。例えば、コールセンターでは、次に電話スイッチング装置に接続されている、ＣＴＩサーバおよび／またはＣＴＩサーバにネットワーク接続されている他のサーバは、コールセンターのステータス（エージェントの利用可能性、電話機のオンフック、オフフックなど）を記録および更新する。このようなアクティビィティは、通話負荷およびルーティング決定の目的のためにアセンブルされて統計的に処理されることが多い。一般的にコールセンターでは、エージェントはシフトまたはセッションの始まりにログオンし、セッションの最後にログアウトする。コールセンターにおける内線番号に対する従業者に関係するデータなどが保持される。
【０００６】
他の例として、通話転送は多くのタイプの通話スイッチング装置のよく知られた機能であり、遠隔的な通話転送がなされる。さらに他の例として、今日ある技術が存在し、これにより、ネットワークにおいて、ネットワーク上でいつステーションがオンラインであるかが知られる。インターネットでは、オンラインおよびオフラインのステータスが共通サーバを通して関連ステーション間で信号送信される商業的に利用可能なシステムが存在しており、このシステムはいつ加入者がオンラインに来たかを検出し、そのステータスを他の加入者に報告する。
【０００７】
世界中の電話装置およびコンピュータ装置の既存のすべての相互接続性とともに、なされているすべてのステータスおよび統計的監視報告によって、相互接続されているシステムに対して情報を効率的に共有することは、本発明者の知識によれば、ほとんどなされていない。
【発明の開示】
【発明が解決しようとする課題】
【０００８】
明らかに必要とされているものは、ステータス情報を発見し、これにアクセスし、これを使用するように適合されたインターラクティブディレクトリシステムである。
【課題を解決するための手段】
【０００９】
本発明の好ましい実施形態では、インターラクティブディレクトリシステムが提供され、このシステムはワークステーションにおけるビデオモニタ上に表示可能であり、少なくとも１つのディレクトリエンティティとそのエンティティに対するステータスを表示するユーザインターフェイスを具備し、またこのシステムはディレクトリエンティティに対するステータス情報を持つコンピュータに対するコンタクトアドレスとを具備する。ディレクトリシステムはコンタクトアドレスにおけるコンピュータにコンタクトし、人および組織に対するステータス情報にアクセスし、ディレクトリエンティティに対する更新されたステータス情報をインターラクティブディレクトリ中に表示する。表示されるステータス情報にはディレクトリエンティティに対する少なくとも１つの電話番号が含まれていてもよい。いくつかの実施形態では、ステータス情報に対してコンタクトされたコンピュータは、インターラクティブディレクトリが実行されるのと同じコンピュータである。いくつかの実施形態では、コンタクトされたコンピュータは統計サーバ（スタットサーバ）である。スタットサーバがコールセンターシステム中にあってもよい。また、コンピュータはインターネット上のワークステーションであってもよく、またこれに限定されないが公衆電話交換ネットワーク（ＰＳＴＮ）のような電話ネットワークに接続された電話スイッチへのＣＴＩリンクにより接続されたＣＴＩサーバであってもよい。
【００１０】
いくつかの実施形態では、複数のディレクトリエンティティがリストアップされ、リストアップされている各ディレクトリエンティティに対する代替電話機と個人ステータスを表示するために各エンティティと関係する複数のフィールドが提供される。電話フィールドの個々のものは特徴とともに電話番号を表示するように構成されていてもよく、特徴はエンティティに関係する電話機のステータスを表していてもよい。いくつかの実施形態では、特徴には、下線、グラフィック的なフィールドフィル、リバースビデオ、特定の色、チェックマーク、特定のフォント、太字、イタリック体、スキャンされた画像が含まれており、特定の特徴により表される電話ステータスには、話中、非話中、最良の番号、一時的な切断が含まれている。
【００１１】
本発明のいくつかの実施形態では、ディレクトリエンティティに関係し、ディレクトリエンティティに対する電話通話をユーザにより開始させるように適合されたインターラクティブ入力が提供される。複数のエンティティを有するこれらの実施形態では、ディレクトリエンティティに関係する複数のインターラクティブ入力が存在し、インターラクティブ入力は個々の電話フィールドから電話通話を開始させるために提供され、通話は電話フィールド中の電話番号にかけられる。
【００１２】
ある例においてユーザ入力により電話をかけるために、ワークステーションは次に電話ネットワークに接続されている電話機に接続され、電話通話は電話機をダイヤルするワークステーションにより開始される。他の例では、ネットワーク上で接続され、ローカル電話スイッチにも接続されているＣＴＩサーバにアクセスすることによりワークステーションは電話通話をかけ、ＣＴＩサーバはローカル電話スイッチによりエンティティへの電話をかけさせ、同じ通話をワークステーションに最も近い電話機に接続する。
【００１３】
本発明の実施形態では、異なるエンティティに対するステータス情報を同じ場所に維持する必要はない。個々のエンティティに対するステータスは例えば各エンティティに対して異なるコンピュータに維持してもよく、コンタクトアドレスはワークステーションにおいてディレクトリエンティティのそれぞれと関係付けられる。
【００１４】
さまざまな実施形態では、エンティティに対するステータスを表示する英数字表示を有するステータスフィールドが提供される。フィールドは、例えば１つ以上のバケーションステータス、１つ以上の一時的な電話番号、シフトステータス、異なる番号に変更するためのタイムステータス、およびビジネス旅行ステータスを表示するために使用してもよい。
【００１５】
本発明のさまざまな実施形態におけるインターラクティブディレクトリは、エンティティの情報が常に最新であり有用であるような方法で人および組織のエンティティのステータスを追跡する方法を初めて提供し、手入力により苦労して更新する必要はない。本発明を多くの可能な実施形態で以下に説明する。
【発明を実施するための最良の形態】
【００１６】
図１は本発明の実施形態にしたがったＣＴＩ機能拡張された環境の全体図である。雲１０１により表されている公衆電話交換ネットワーク（ＰＳＴＮ）には、第１の電話スイッチ１０４と第２の電話スイッチ１０３が含まれている。これらの２つのスイッチは、任意のＰＳＴＮ中に存在するさまざまなタイプの非常に多くのスイッチの単なる例示に過ぎないことは当業者に明らかであろう。ＰＳＴＮ１０１は専用電話ネットワークまたは、これに限定されないが、インターネットプロトコル電話ネットワーク（ＩＰＴＮ）のようなものを含む、技術的に知られている他の任意のタイプの電話ネットワークであってもよい。
【００１７】
雲１０２により表されているワイドエリアネットワーク（ＷＡＮ）はインターネットまたは１以上の会社により共有されている大規模なイントラネットであってもよい。ＷＡＮ１０２はイントラネットとインターネットの組み合わせであってもよい。先に説明したように非常に多くの可能性ある代替物が存在する。この例の目的のために、雲１０２はインターネットとして知られているワイドエリアネットワークを表している。
【００１８】
インターネット１０２は範囲が非常に広く、家庭、小企業および大企業の非常に多くの個人への、そして政府のエンティティを含む種々の組織へのインターネットアクセスおよび接続性を提供する多くのサイトの装置に対する接続を含む。
【００１９】
インターネット１０２に対するアクセスは、インターネットサービスプロバイダ（ＩＳＰ）に対するダイヤルアップ接続によるような技術的に知られているさまざまな方法により提供される。一般的にインターネット１０２に対するアクセスを有する個人は、プロバイダアクセスに対する電話接続のためのモデムを備えたコンピュータ（ＰＣ）と従来の電話ネットワークアクセスのための電話機とを持っている。コンピュータは専用回線により取り扱われてもよい場合があり、いくつかの例では、単一の回線が電話機とコンピュータモデムに対して（排他的に）共有される。
【００２０】
図１の実施形態では、２つのワークステーション１１０および１３０が示されており、両方ともＰＳＴＮ１０１およびインターネット１０２に接続されている。ワークステーション１１０は、リンク１１４を通してインターネット１０２に接続されているＰＣ１１２を備えている。リンク１１４は、アナログ、統合サービスデジタルネットワーク（ＩＳＤＮ）のようなデジタル、あるいは技術的に知られている任意の他の適切な接続の形態であってもよい。このケースでは、インターネット１０２に対するアクセスはＩＳＰへのダイヤルアップ接続を通して達成される。ワークステーション１１０は、単純な古い電話サービス（ＰＯＴＳ）回線１１３を通してＰＳＴＮ１０１に接続されている電話機１１１も備えている。ワークステーション１３０はリンク１３４を通してインターネット１０２に接続されているＰＣ１３２と、ＰＯＴＳ回線１３３を通してＰＳＴＮ１０１に接続されている電話機１３１を備えている。
【００２１】
ワークステーション１３０中に存在している構成部品は、本発明の精神および範囲を逸脱することなく、ワークステーション１１０中に存在している構成部品から変化させてもよい。例えば、いずれかのワークステーションが付加的な電話回線およびまたはファックスマシーンのような技術的に知られている他の装置、付加的なＰＣなどを持っていてもよい。この実施形態では、ワークステーション１１０に示されている構成要素は、例示目的のためだけにワークステーション１３０に示されている構成要素と同一である。先に説明したような移動体である個人のケースでは、インターネット１０２に対するアクセスはモデム接続を有するラップトップコンピュータを通して、あるいはインターネットアクセス能力を持つセルラ電話機などから達成してもよい。
【００２２】
電話スイッチ１０４は、ステーション１１０に対してローカルなＰＳＴＮ中のスイッチであり、ＣＴＩリンク１０９によりスイッチに接続されたＣＴＩサーバ１０６によりＣＴＩ機能拡張されたスイッチである。サーバ１０６はインターネット接続されており、サーバがインターネット雲中に示されている事実によりこれは図中で暗示されている。ＣＴＩサーバ１０５もインターネット接続されており、ＣＴＩリンク１０７を通して電話スイッチ１０３に接続されている。ＣＴＩサーバ１０６および１０５は技術的に知られているようなネットワーク接続を通して相互に接続されていてもよく、少なくともインターネットを通して接続されている。電話スイッチ１０４および１０３もＰＳＴＮ雲中に示されていることにより相互に接続されている。他の多くの接続状況があり、示すことができる他の多くの装置が存在することは当業者に明らかであろう。本発明者は本発明の好ましい実施形態を図示するためにはここに示されている図で十分であると考える。
【００２３】
先に説明したように、装置のリアルタイムステータスが監視され、利用可能性などについての情報が記憶されている、高度に相互接続されたコンピュータおよび電話の世界には多くの例が存在している。図１の例では、インターネット接続されたＣＴＩサーバ１０５はスイッチ１０３のアクティビィティを監視し、ステーション１３０における電話機１３１のステータス（とともに、スイッチ１０３を通して接続されている他の多くの電話機のステータス）を追跡してもよい。サーバ１０５は回線１３３が話中または利用可能であるときなどのリアルタイム情報を常に持っている。
【００２４】
ステーション１１０では、ＰＣ１１２はリンク１１４を通してインターネットに接続されていてもよい。ＰＣ１１２はそのようにする所定のプロトコル（ＵＲＬなど）によりサーバ１０５に接続し、サーバ１０５上で実行されるＣＴＩアプリケーションを通して提供されてもよい許可により、ステーション１３０の電話機１３１のステータスにアクセスしてもよい。
【００２５】
本発明の好ましい実施形態では、リアルタイムインターラクティブディレクトリ（ＲＴＩＤ）アプリケーション１０８が提供され、ステーション１１０のＰＣ１１２上で実行される。ＲＴＩＤ１０８はＰＣ１１２のディスプレイ上にインターラクティブインターフェイスを提供するシステムであり、これはエンティティとして人々と組織、各人に到達する電話アクセス番号、人と番号のステータスをリストアップする。この実施形態では、エンティティの識別子およびステータスはよく知られた表示フィールドに中にあるが、技術的によく知られているように、特定のフィールド以外に表示することもできる。
【００２６】
図２はＲＴＩＤ１０８に対する例示的なインターラクティブインターフェイスであり、ジョンドゥ、ジェーンドゥおよびダフダックの人エンティティに対するアクセスとステータスを示している。８つの列が示されており、姓、名、第１の電話番号、第２の電話番号、自宅番号、移動体番号＃１、移動体番号＃２およびステータスが提供されている。さらに多くの項目を示してもよく、またよく知られた構成技術を使用して、どの項目を表示させるか、ホットキーの使用によりまたはスクロールすることによるなどのような付加的な機能によりどの項目を利用可能にするかをユーザが選択できるようにしてもよいことは当業者に明らかであろう。
【００２７】
この実施形態では、ＰＣ１１２がインターネットに接続されていない間にディレクトリがステーション１１０においてアクセスされてもよく、その場合には、静的なディレクトリとして機能する。しかしながらＲＴＩＤ１０８はネットワーク接続、このケースではインターネットを通して相互対話して、リアルタイムステータスを集めて表示し、いくつかの実施形態では以下でさらに詳細に説明するように、他の何らかの電話機能を実行するように構成されることが好ましい。
【００２８】
図２を参照すると、ＰＣ１１０上で実行されるＲＴＩＤアプリケーション１０８により提供されるインターラクティブウインドウが示されている。ステーションのユーザは表示されているリストから例えばジョンドゥのような名前を選択する。ＲＴＩＤはルックアップ機能を持ち、ジョンドゥに対するリアルタイム情報の遠隔情報源を提供し、このケースではサーバ１０５上で実行されているＣＴＩアプリケーションである。ＲＴＩＤはインターネットを通してＣＴＩサーバ１０５にアクセスし、ジョンドゥのステータス情報に対するアクセスについて交渉する。アクセスが許可されたとき、ジョンドゥのステータス情報はインターネットを通してステーション１１０のＰＣ１１２に送られ、ジョンドゥにおける情報行が直ちに更新される。
【００２９】
サーバ１０５において利用可能なジョンドゥに対する情報は、電話機１３１が話中か空いているかのような簡単なものであってもよい。しかしながら、さらに複雑な利用可能な情報が存在していてもよい。いくつかの実施形態では、さまざまな情報でそしてさまざまな方法でサーバ１０５を更新するために、ジョンドゥに対して提供される機構が存在していてもよい。例えばジョンドゥは自分のステータスを呼び出し、しばらくの間は一時的な番号で利用可能であることを示し、通話転送を開始し、これはステータス情報としてサーバ１０５上に記憶され、またジョンドゥは電話番号を更新などする。ジョンドゥはこのようなデータ更新を実行してもよく、これはサーバ１０５がスイッチ１０３、そしてネットワーク中の他のスイッチやサーバさえ通して収集するリアルタイム監視情報に対して付加的なものである。ジョンドゥはまたＲＴＩＤ１０８のインスタンスを実行している自分のＰＣ１３０を通して情報を更新し、ＲＴＩＤ１０８はこの例では、データフィールドを有する入力インターフェイスを提供し、ジョンドゥに対してリストアップされた記憶位置に新しい情報を送るように構成されている。ジョンドゥはセルラ電話機１２０を使用して更新されたステータスを呼び出し、通話転送などを遠隔制御してもよい。
【００３０】
この教示を提供すると、ステータス情報を獲得して記憶させる多くの方法が存在することは当業者に明らかであろう。他の例と同様に、ジョンドゥに対するステータス情報はおそらくスイッチ１０３から離れたインターネット中のサーバ上に維持してもよく、サーバ１０５はジョンドゥの電話としてリストアップされた電話のステータスを定期的にそのサーバに報告してもよい。インターネットおよび公衆および専用電話交換ネットワークを含む他のネットワークの相互接続性が与えられた場合、ジョンドゥおよび彼の装置についてのステータス情報を維持する非常に幅広いさまざまな方法が存在することは当業者に明らかであろう。
【００３１】
ステーション１１０のＰＣ１１２に戻ると、ジョンドゥの情報がリリースされると、インターラクティブインターフェイス中のフィールドは直ちに更新される。情報をステーション１１０のユーザに表示する幅広いさまざまな方法が存在する。図２では、ジョンドゥの情報が更新されて、ジョンドゥは話中（列８中の文字テキスト）であること示されており、ジョンドゥは（反転されたビデオ表示として示されている）彼の第１の回線で話中であることが示されている。他の情報も同様に示されてもよい。例えばジョンドゥが通話に対して利用可能であることをステータスチェックが示す場合には、通話に対して適切なジョンドゥの電話機が下線、色、番号を囲むボックス、他の多くの方法などにより示される。
【００３２】
いくつかの実施形態では、小さな文字またはアイコンが対象となる人を表し、人々のスキャン読み取りされた絵さえ使用することができ、位置、色、ハローなどを変化させることによりステータスを示す。
【００３３】
いくつかの実施形態では、ＰＣ１１２がインターネット接続されている間中、ＲＴＩＤ１０８のディスプレイ中に示されているすべての行が更新され、ユーザがスクロールすると、新しい行も更新される。異なるエンティティに対する開始は、本発明の精神および範囲を逸脱することなくさまざまな方法で行ってもよい。
【００３４】
先の従来技術のセクションにおいてコールセンターを説明したが、ここでは一般的に営利目的の会社である組織が、電話スイッチング装置に接続された電話機を少なくとも有するワークステーションにおいてエージェントを維持する。多くのこのようなシステムでは、電話ネットワーク中にサービス制御ポイントを有する分散コールセンターが存在する。このようなシステム中のスイッチはＣＴＩサーバにより機能拡張されているものとして知られており、エージェントステータスは通話のルーティングのようなコールセンターシステムの動作目的のためにスタットサーバにより維持されることが非常に多い。このようなシステムは先にそしてこの特許出願中の他の部分で説明したＲＴＩＤシステムとともに動作するように構成することができる。
【００３５】
図２の例に特に示されていないが、タイムゾーン、バケーションの一時的な番号、通話するのに最良の時間、出かけるが戻って来るなどのような付加的な情報を示してもよい。先に説明したようなＲＴＩＤアプリケーションは、電話をかけること、Ｅメールを送信すること、転送された番号にアクセスするために電話スイッチのセントレックス機能を使用することになどに関して、インターラクティブであってもよい。例えば、インターラクティブリスト上の名前と通信しようとしているステーション１１０のユーザは、リストが利用可能であること、そしてコンタクトするにはどの番号が最良であるかの表示を見ると、電話機に手を伸ばして選択された番号をダイヤルすることによってではなく、ＲＴＩＤへの入力により電話をかけてもよい。このようなダイヤラは発明者に知られており、ステーション１１０の装置と統合してもよい。
【００３６】
ユーザがジェーンドゥにコンタクトしたくてＲＴＩＤリスト中の彼女の名前を選択した場合には、行Ｃ中インターラクティブ表示が更新される。この例では、ジェーンドゥは利用可能ではない。その理由は彼女はバケーション中（Ｃ８）だからである。いくつかの実施形態では、フィールドＣ８を選択することにより、戻って来る日付のような付加的な情報を含む付加的なフィールドが現れてもよい。ジェーンドゥのステーションにおいて彼女の後任になる個人がいる場合には、その個人の名前がフィールドＣ２およびＣ１に現れてもよい。ダフダックのケース（行Ｄ）では、彼が旅行中であることから彼の転送番号が旅程に加えられている。
【００３７】
所望されたコンタクトに対してユーザにより実際の電話がかけられるときには、通話を接続するためにいくつかの異なる方法を使用することができる。例えば、ユーザによりクリックされた番号がインターネット電話の場合には、通話はインターネットを通してルーティングされ、呼び出しアイコンとして宛先ＰＣ上に現れる。ユーザのＲＴＩＤアプリケーション内のフィールドは、所望されたインターネット電話番号がアクティブである（ターゲットコンピュータがインターネット接続されている）こと、そしてその番号が使用中でないことを反映する。１つの実施形態では、ユーザは独立した電話機を使用して、ダフダックに対して示されている旅行番号のような旅程中に残された転送番号を呼ぶ。
【００３８】
他の実施形態では、ＲＴＩＤは、会社のすべての従業者に対して、会社の電話装置のすべてを含む多国籍会社により実現され、インターネットを通して同期化されたディレクトリとすることができる。さらに他の実施形態では、本発明にしたがったシステムは家族に対して、そしておそらくは近い友人に対して実現されてもよく、すべてのデータはローカル電話会社スイッチに接続されたサーバに記憶させてもよい。家族の異なるメンバーに割り当てられたセル電話機とともに、一時的な位置などを表示させることができる。このようなローカル家族システムは、互いに追跡し合い、最高のコミュニケーションを維持する家族のメンバーにとって非常に有用である。
【００３９】
本発明の実施形態では、アクセスセキュリティのレベルを実現してもよい。例えば、１人のアソシエートは旅程と他のアソシエートのアクティブ状態に対してパスワードを通してフルアクセスを持ってもよく、他のアソシエートはあるアクティブ状態に対してのみアクセスを持つが旅程などに対してはアクセスを持たなくてもよい。暗号化、パスワードなどのような技術的に知られているさまざまなセキュリティ技術を使用することができる。
【００４０】
本発明のＲＴＩＤアプリケーションは、本発明の精神および範囲を逸脱することなく、既存のルーティングアプリケーションおよびステータス報告ソフトウェアとインターフェイスさせることができることは当業者に明らかであろう。例えば、ＲＴＩＤをエージェント報告ソフトウェアとインターフェイスさせて、ユーザに対してトランスペアレントにする代わりに、ユーザに対して見えるようにしてエージェントのリアルタイムステータス報告の方法を機能拡張してもよい。さらなる機能拡張は、ユーザがＰＣからＲＴＩＤインターフェイスを使用して通信を開始できるようにすることにより提供される。
【００４１】
多くの情報項目と多くの種類の情報が存在し、先の実施形態に示されていないが本発明の精神および範囲に入ることが明らかである本発明の実施形態にしたがってこれらの情報がアクセスされてリアルタイムインターラクティブディレクトリ上に表示されることも当業者にさらに明らかになるであろう。例えば、ディレクトリは呼ばれた人の電子スケジュール（３時まで会議中−コールバックを予約しますか？）、その人は今日既に電話機を使用したという事実、その人はある期間に対して電話機を使用していないという事実、その人は内部の同僚あるいは外部の同僚と話していて話中であるという事実、呼ばれた人は特定の人あるいは特定の番号と話しているという事実、その人は緊急通話のみを受けているという事実、その人は限られたリストのみからの通話を受けているという事実、その人は応答しなかったという（彼をページング呼び出ししますか？）事実を示してもよい。
【００４２】
さらにディレクトリはタイムゾーンインジケータ、オフデューティインジケータ、あるいはスリープ期間インジケータを含んでいてもよい。他の表示は、この人は今日Ｅメール／電話機／ファックス／ＶＯＮにより通信することを好むなどとすることができる。ディレクトリは呼ばれた当事者に関係する他の人々についての情報を付加的に示してもよい。
【００４３】
この人の以下のチームメートは以下のステータスを持つ。
リチャード・ピカリング−管理スタッフ−西部領域販売−外部通話で話中
グレッグ・ジョンストン−同僚−中央領域販売−自由
ブルース・ランヤン−ラインマネージャ−自由
発呼者／質問者に対してカスタマイズされた、呼ばれた当事者から返される以下のようなメッセージがあってもよい。
貴方からの通話を受け取った／貴方と話すことを熱望している、あるいは
この人はテレビ電話／基本音声より上で貴方のものと互換性がある電話オプションを持っている。
【００４４】
他の例では、システムはチームの同僚のステータスを永久的に表示し、いつ状態が変化したか（例えば電話機が次に使用されたときあるいは非緊急通話を受け入れたとき）を知らせるように構成可能である。他の特徴はコールバック要求を通して電話機への次の通話を予約することであってもよい。いくつかの実施形態では、開始者あるいは終了者のスイッチ以外のスイッチにより通話をセットアップしてもよい。システムはローミングしている間に（例えば移動電話機データから）呼び出された人の地理的位置を示し、そして／またはＩＰ電話機のステータスを（非ＩＰ電話機ユーザに）提供するように構成してもよい。他の多くの構成およびサービスは本発明の精神および範囲を逸脱することなく当業者に明らかであろう。
【００４５】
ユーザＰＣ上で実行されているＲＴＩＤアプリケーションインターフェイスをユーザに対してフレンドリーであるさまざまな構成で表現することができることも当業者に明らかであろう。例えば、アイコンを使用してコンタクト、場所、イベントなどを表してもよい。色背景を変化させること使用して、重要な情報や現在のステータス状態を強調してもよい。例えば、話中の電話番号を赤で強調する一方、試みられた通話は青などの強調にしてもよい。さらに、ネットワーク中で利用される多くの付加的な通信状態を、テレビ会議、テレビ電話、Ｅメールおよび他の既知のプログラムに関係するマルチメディアアプリケーションのような本発明のＲＴＩＤアプリケーションに組み込むことができる。可能な他の多くの実施形態が存在し、その多くは先に既に説明した。本発明は特許請求の範囲によってのみ限定される。
【図面の簡単な説明】
【００４６】
【図１】図１は、本発明の実施形態にしたがったＣＴＩ機能拡張されたコンピュータ−電話環境のかなり概略的な全体図である。
【図２】図２は、本発明の実施形態にしたがったコンピュータプラットフォーム上で実行されるリアルタイムインターラクティブディレクトリに対するインターラクティブインターフェイスの例示的な図である。
【図１】
2007095104.tif 000003
【図２】
2007095104.tif 000004
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
音声インターラクションシステムであって、
一意の識別子に各々が関連する２又はそれ以上の人又は組織をリストするディジタルディスプレイと、
人又は組織の利用可能性を示すサブシステムと、
活性化されるとディジタル化された音声信号を１又はそれ以上の選択された組織又は人へ送信する選択入力とを有する、システム。
【請求項２】
音声インターラクションシステムはセルラ電話機上で動作し、ディジタル化された音声信号がセルラ電話ネットワーク上でセルラ電話機により送信される、請求項１に記載のシステム。
【請求項３】
利用可能性の表示はセルラ電話機によりアクセス可能な遠隔データ記憶装置から得られる、請求項１に記載のシステム。
【請求項４】
ディジタル化された音声信号は、宛先の人又は組織に関連するコンピュータ化された装置のスピーカを通して音声として再生される、請求項１に記載のシステム。
【請求項５】
コンピュータ化された装置は、セルラ電話機である、請求項４に記載のシステム。
【請求項６】
音声インターラクション方法であって、
（ａ）一意の識別子に各々が関連する２又はそれ以上の人又は組織を表示するステップと、
（ｂ）人又は組織の利用可能性を取得しかつ表示するステップと、
（ｃ）１又はそれ以上の人又は組織を選択し、それによりディジタル化された音声信号をその選択された人又は組織人へ送信するステップとを有する、方法。
【請求項７】
音声インターラクションシステムはセルラ電話機上で動作し、音声信号がセルラ電話ネットワーク上でセルラ電話機により送信される、請求項６に記載の方法。
【請求項８】
利用可能性の表示はシステムにアクセス可能な遠隔データ記憶装置から得られる、請求項７に記載の方法。
【請求項９】
ディジタル化された音声信号は、宛先の人又は組織に関連するコンピュータ化された装置のスピーカを通して音声として再生される、請求項６に記載の方法。
【請求項１０】
コンピュータ化された装置は、セルラ電話機である、請求項６に記載の方法